(57)【要約】      （修正有）【課題】円筒状を成す軸受ハウジングの内壁に設けられ、複数のフォイルを具備する動圧気体軸受において、フォイルの取り付け作業の手間や、軸受ハウジングにフォイルを取り付けるための係合溝を設ける手間の軽減等を図る。【解決手段】円筒状の軸受ハウジングの内壁に設けられ、複数のフォイル４と、前記複数のフォイル４を接続する帯５とを有するフォイル組立品３を具備する動圧気体軸受において、前記フォイル組立品３を軸と前記軸受ハウジングとの間に配した際に、一のフォイル４と、該フォイル４に周方向に隣接するフォイル４とが重なり合い、軸に対向するアッパーフォイル及びこのアッパーフォイルと前記内壁との間に位置するアンダーフォイルとして機能するように構成する。【選択図】図３
2011144845.tif 000002
【特許請求の範囲】
【請求項１】
円筒状の軸受ハウジングの内壁に設けられ、複数のフォイルと、前記複数のフォイルを接続する帯とを有するフォイル組立品を具備するものであって、前記フォイル組立品を軸と前記軸受ハウジングとの間に配した際に、一のフォイルと、該フォイルに周方向に隣接するフォイルとが重なり合い、各フォイルの一部が軸に対向するアッパーフォイルとして機能するとともに、各フォイルの他の一部が前記アッパーフォイルと前記内壁との間に位置するアンダーフォイルとして機能することを特徴とする動圧気体軸受。
【請求項２】
前記帯に前記軸受ハウジングとの間で位置決めを行うための突起を設けている請求項１記載の動圧気体軸受。
【請求項３】
前記帯が、周方向に延伸する帯本体と、この帯本体と前記フォイルとを連結する連結部とを具備する請求項２記載の動圧気体軸受。
【請求項４】
前記連結部のうち少なくとも１つに前記突起を設けている請求項３記載の動圧気体軸受。
【請求項５】
前記連結部が、前記帯本体と前記フォイルの周方向中央部とを連結している請求項３又は４記載の動圧気体軸受。
【請求項６】
前記フォイルに前記軸受ハウジングとの間で位置決めを行うための突起を設けている請求項１記載の動圧気体軸受。
【請求項７】
前記帯が前記フォイルと対向する表面に耐摩耗性表面加工を施している請求項１、２、３、４、５又は６記載の動圧気体軸受。
【請求項８】
前記アンダーフォイルとして機能するフォイルが、前記アッパーフォイルとして機能するフォイルを軸に向けて付勢するバネとしての機能を有する請求項１、２、３、４、５、６又は７記載の動圧気体軸受。
【請求項９】
前記アンダーフォイルとして機能するフォイルに、バネとしての機能を付与すべく軸に対して弾性突没可能な複数の突条を設けている請求項８記載の動圧気体軸受。
【請求項１０】
前記アンダーフォイルとして機能するフォイルと前記内壁との間に、前記アッパーフォイル及びアンダーフォイルとして機能するフォイルを軸に向けて付勢するバネとしての機能を有するフォイルをさらに設けている請求項１、２、３、４、５、６、７、８又は９記載の動圧気体軸受。
【請求項１１】
１個のフォイル組立品を利用して形成しているものであって、前記フォイル組立品の帯の帯本体を折り返して折り返し箇所を形成し、この折り返し箇所を固定することにより、周方向に隣接するフォイルを相互に重ね合わせ、フォイルの上流側がアンダーフォイル、下流側がアッパーフォイルとしてそれぞれ機能するフォイル組立品を形成するようにしている請求項１、２、３、４、５、６、７、８、９又は１０記載の動圧気体軸受。
【発明の詳細な説明】
【技術分野】
【０００１】
本発明は、航空機のエアサイクルマシン、ヘリウム液化装置の膨張タービン、自動車のターボチャージャ等の高速回転機械に使用される軸受に関し、特に、軸を取り付ける対象である固定部材と軸に設けた回転受圧部との間に形成された気体膜により荷重を支持する動圧気体軸受に関する。
【背景技術】
【０００２】
高速回転機械用に使用される軸受として、軸を取り付ける対象である固定部材と軸に設けた回転受圧部との間に形成した空間により両部材間に薄い気体膜を生じさせ、この気体膜の潤滑作用により荷重を支持する動圧気体軸受が従来知られている。
【０００３】
このような従来の動圧気体軸受の一例として、複数枚のフォイルを固定部材にそれぞれ係止するとともに、互いに隣接するフォイルを重ね合わせ、軸に近い側のフォイルをたわませて固定部材に近い側のフォイルに支持させる構成のものが知られている（特許文献１参照）。
【０００４】
しかして、前記特許文献１のもののような構成では、複数枚のフォイルそれぞれを順次固定部材に取り付けるようにしているため、フォイルの枚数分だけフォイルの取り付け作業を繰り返す必要があるとともに、固定部材側にフォイルの枚数分だけフォイルと係合してフォイルの位置決めを行うための係合溝を設ける必要がある。また、特に最後のフォイルを取り付ける際には、一旦最初に取り付けたフォイルの固定部材側の空間を開放して最後のフォイルを取り付けるためのスペースを確保する作業、及び固定部材に最後のフォイルを取り付けた後最初に取り付けたフォイルを最後のフォイルに被せる作業が必要となり、この作業が煩雑に感じられる不具合の発生しうる。
【先行技術文献】
【特許文献】
【０００５】
【特許文献１】特開平４−５４３０９号公報
【発明の概要】
【発明が解決しようとする課題】
【０００６】
本発明は、以上に述べた課題を解決すべく、すなわち、フォイルの取り付け作業の手間や、固定部材に係合溝を設ける手間の軽減を図るべく、このような動圧気体軸受を構成するものである。
【課題を解決するための手段】
【０００７】
すなわち本発明に係る動圧気体軸受は、円筒状の軸受ハウジングの内壁に設けられ、複数のフォイルと、前記複数のフォイルを接続する帯とを有するフォイル組立品を複数具備するものであって、前記複数のフォイル組立品を軸と前記軸受ハウジングとの間に配した際に、一のフォイル組立品を構成するフォイルと他のフォイル組立品を構成するフォイルとが互いに重なり合い、各フォイルの一部が軸に対向するアッパーフォイルとして機能するとともに、各フォイルの他の一部が前記アッパーフォイルと前記内壁との間に位置するアンダーフォイルとして機能することを特徴とする。
【０００８】
このような構成によれば、フォイル組立品を軸受ハウジングに組み付ける作業により動圧気体軸受を形成できるので、取り付け作業の工数を削減できるとともに、フォイルの位置決めを行うための係合溝はフォイル組立品１つにつき１つ設ければよいので固定部材に係合溝を設ける手間の軽減を図ることもできる。さらに、複数のフォイルを帯により連結しているので、部品点数の削減を図ることもできる。
【０００９】
このようなフォイル組立品を軸受ハウジングに位置決めするための好適な態様の一つとして、前記帯に前記軸受ハウジングとの間で位置決めを行うための突起を設けているものが挙げられる。
【００１０】
このような帯の一例として、前記帯が、周方向に延伸する帯本体と、この帯本体と前記フォイルとを連結する連結部とを具備するものが挙げられる。
【００１１】
特に、前記連結部のうち少なくとも１つに前記突起を設けているものであれば、フォイルには位置決めを行わせるための加工を行うことなく、フォイル組立品を軸受ハウジングに対して位置決めできる。
【００１２】
また、前記連結部が、前記帯本体と前記フォイルの周方向中央部とを連結しているものであれば、フォイルの周方向中央部より上流側をアンダーフォイル、周方向中央部より下流側をアッパーフォイルとして機能させることにより、気圧を受けた際にこれらアンダーフォイル及びアッパーフォイルがそれぞれ反対側に移動しつつ摺動するので、ダンピング効果を好適に得ることができる。
【００１３】
一方、このようなフォイル組立品を軸受ハウジングに位置決めするための好適な態様の他の一つとして、前記フォイルに前記軸受ハウジングとの間で位置決めを行うための突起を設けているものが挙げられる。
【００１４】
このようなフォイル組立品の長寿命化を図るための好適な構成として、前記帯が前記フォイルと対向する表面に耐摩耗性表面加工を施しているものが挙げられる。
【００１５】
軸とアッパーフォイルとして機能するフォイルとの間の気体膜の形状をより適切な形状に維持できるようにするための構成として、前記アンダーフォイルとして機能するフォイルが、前記アッパーフォイルとして機能するフォイルを軸に向けて付勢するバネとしての機能を有するものが挙げられる。このようなものであれば、アッパーフォイルとして機能するフォイルが高い気圧を受けた際に、アッパーフォイルとして機能するフォイルが軸に向けて付勢されるので、軸とアッパーフォイルとして機能するフォイルとの間の気体膜を形成する隙間の形状を保つことができるからである。
【００１６】
前段で述べたフォイルを容易に実現するための構成として、前記アンダーフォイルとして機能するフォイルに、バネとしての機能を付与すべく軸に対して弾性突没可能な複数の突条を設けているものが挙げられる。
【００１７】
軸とアッパーフォイルとして機能するフォイルとの間の気体膜の形状をより適切な形状に維持できるようにするための他の構成として、前記アンダーフォイルとして機能するフォイルと前記内壁との間に、前記アッパーフォイル及びアンダーフォイルとして機能するフォイルを軸に向けて付勢するバネとしての機能を有するフォイルをさらに設けているものが挙げられる。このようなものであっても、アッパーフォイルとして機能するフォイルが高い気圧を受けた際に、前記アッパーフォイル及びアンダーフォイルとして機能するフォイルが軸に向けて付勢されるので、軸とアッパーフォイルとして機能するフォイルとの間の気体膜を形成する隙間の形状を保つことができるからである。
【００１８】
そして、少ない部品点数により以上に述べたような動圧気体軸受を実現するための構成として、１個のフォイル組立品を利用して形成しているものであって、前記フォイル組立品の帯の帯本体を折り返して折り返し箇所を形成し、この折り返し箇所を固定することにより、周方向に隣接するフォイルを相互に重ね合わせ、フォイルの上流側がアンダーフォイル、下流側がアッパーフォイルとしてそれぞれ機能するフォイル組立品を形成するようにしているものが挙げられる。
【発明の効果】
【００１９】
本発明に係る動圧気体軸受の構造によれば、フォイル組立品を軸受ハウジングに組み付ける作業により動圧気体軸受を形成できるので、取り付け作業の工数を削減できるとともに、フォイルの位置決めを行うための係合溝はフォイル組立品１つにつき１つ設ければよいので固定部材に係合溝を設ける手間の軽減を図ることもできる。さらに、複数のフォイルを帯により連結しているので、部品点数の削減を図ることもできる。
【図面の簡単な説明】
【００２０】
【図１】本発明の第一実施形態に係る動圧気体軸受を示す正面図。
【図２】同実施形態に係る動圧気体軸受の要部を示す中央横断面図。
【図３】同実施形態に係るフォイル組立品を示す展開図。
【図４】同実施形態に係るフォイル組立品を組み合わせた状態を示す展開図。
【図５】本発明の他の実施態様に係るフォイル組立品を示す展開図。
【図６】本発明の他の実施態様に係るフォイルを示す図。
【図７】本発明の他の実施態様に係るフォイルを示す図。
【図８】本発明の他の実施態様に係るフォイルを示す図。
【図９】本発明の他の実施態様に係るフォイルを示す図。
【図１０】本発明の他の実施態様に係るフォイルを示す図。
【図１１】本発明の他の実施態様に係るフォイルを示す図。
【図１２】本発明の他の実施態様に係るフォイルを示す図。
【図１３】本発明の他の実施態様に係るフォイルを示す図。
【図１４】本発明の他の実施態様に係るフォイルを示す図。
【発明を実施するための最良の形態】
【００２１】
以下、本発明の第一実施形態を、図面を参照して説明する。
【００２２】
本実施形態に係る軸受は、図１に概略正面図、図２に要部の中央横断面図をそれぞれ示すようなジャーナル軸受であり、軸２を取り付ける対象である軸受ハウジング１と軸２との間に設けられる。すなわち、前記軸受ハウジング１の内壁１ａに設けられる。また、この軸受は、図３及び図４に示すように、複数のフォイル４と、前記複数のフォイル４を接続する帯５とを有するフォイル組立品３を複数、本実施形態では２つ具備するものであって、前記複数のフォイル組立品３を軸２と前記軸受ハウジング１との間に配した際に、一のフォイル組立品３を構成するフォイル４と、他のフォイル組立品３を構成するフォイル４とが交互に重なり合い、各フォイル４の一部が軸２に対向するアッパーフォイル４１として機能するとともに、各フォイル４の他の一部が前記アッパーフォイル４１と前記内壁１ａとの間に位置するアンダーフォイル４２として機能する。そして、前記フォイル４と前記軸２との間に図示しない気体膜を形成し、この気体膜の気圧を利用して軸２を支持する。すなわち、本実施形態に係る軸受は、フォイル型のジャーナル気体軸受である。
【００２３】
前記フォイル組立品３は、前記図１に示すように、また、図３及び図４に示すように、複数のフォイル４と、前記複数のフォイル４を接続する帯５とを有する。また、本実施形態では、２つのフォイル組立品３の帯５をそれぞれ異なる側に配置してなるとともに、各フォイル組立品３をそれぞれ帯５と反対側から前記軸受ハウジング１内に挿入することにより該軸受ハウジングに組み付けるようにしている。ここで、図３はこのフォイル組立品３の展開図である。また、図４は２つのフォイル組立品３を組み合わせた状態の展開図である。なお、前記図１及び図２では、フォイル４は形状の理解を容易にするため、一定の厚さで示されているが、実際には、例えば０．１〜０．２ｍｍの板状であり、かつ軸２を巻回する環状に形成されている。
【００２４】
さらに詳述すると、前記帯５は、前記図３に示すように、周方向に延伸する帯本体５１と、この帯本体５１と前記フォイル４とを連結する連結部５２とを具備する。また、前記連結部５２のうち、この帯５の長手方向両端部に位置するものには、前記図１に示すように前記内壁１ａに設けた係合溝１ｘに係合可能な係止突起５２ａを設けている。
【００２５】
一方、前記フォイル４は、本実施形態ではいずれも板状をなし、前記内壁１ａに沿って配置される。本実施形態では、一方のフォイル組立品３を構成するフォイル４と、他方のフォイル組立品３を構成するフォイル４とは、このフォイル４の周方向寸法の半分だけ周方向にずらして配置している。そして、一方のフォイル組立品３を構成する各フォイル４の下流側ほぼ半分を、他方のフォイル組立品３を構成する各フォイル４の上流側ほぼ半分の軸２側に重ね合わせるようにしている。すなわち、前記図２及び図４に示すように、各フォイル４の下流側ほぼ半分が、軸２に対向するアッパーフォイル４１として機能するとともに、各フォイル４の上流側ほぼ半分が、前記内壁１ａと他方のフォイル組立品３を構成するフォイル４の前記アッパーフォイル４１として機能する部分との間に位置するアンダーフォイル４２として機能するようにしている。
【００２６】
ここで、軸２が回転すると、軸２とフォイル組立品３、３との隙間の空気等の気体が気体の粘性により引張られ、この隙間に形成してなる気体膜の圧力が上昇する。この圧力上昇によって、まず、各フォイル４のアッパーフォイル４１として機能する部分が軸受ハウジング１側に向かう作用を受ける。この際、前記アッパーフォイル４１として機能する部分は、隣接するフォイル４のアンダーフォイル４２として機能する部分に圧接し、前記アンダーフォイル４２として機能する部分が軸受ハウジング１側に向かう作用を受ける。そして、気体膜の形状が、例えば、入口部分から下流側に進むにつれ幅が小さくなるなど、適切な形状に維持され、前記アッパーフォイル４１の下流側端縁近傍すなわち自由端近傍で気体の圧力上昇が生じる。この圧力上昇により軸受は軸２を非接触で支えることになる。
【００２７】
本実施形態に係る軸受の構成によれば、フォイル組立品３を軸受ハウジング１に組み付ける作業によりこのような軸受を形成できるので、取り付け作業の工数を削減できるとともに、フォイル組立品３の位置決めを行うための係合溝１ｘを各フォイル４ごとに設ける必要がなく、例えばフォイル組立品３の周方向両端部に計２個設ければよいので、軸受ハウジング１に係合溝１ｘを設ける手間の軽減を図ることもできる。さらに、複数のフォイル４を帯５により連結してリーフプレート組立品３を形成しているので、部品点数の削減を図ることもできる。
【００２８】
また、前記帯５が、帯本体５１と、この帯本体５１とフォイル４とを連結する連結部５２とを具備するとともに、この連結部５２のうち周方向両端部に位置するものに軸受ハウジング１の係合溝１ｘと係合可能な係止突起５２ａを設けているので、簡単な構成により、かつ少ない係合溝１ｘの数により、フォイル組立品３と軸受ハウジング１との間の位置決めを行い、フォイル組立品３を軸受ハウジング１に組み付けることができる。
【００２９】
さらに、前記帯５の前記フォイル４と対向する表面に耐摩耗性表面加工を施しているので、帯５とフォイル４とが互いに摺動しても帯５が摩耗しにくく、従ってフォイル組立品３の長寿命化を図ることができる。
【００３０】
なお、本発明は以上に述べた実施形態に限られない。
【００３１】
例えば、展開図を図５に示すように、フォイル４の周方向中央部と帯本体５１とを連結部５２を介して連結するフォイル組立品３を採用してもよい。
【００３２】
このような構成を採用すれば、フォイル４の周方向中央部より上流側がアンダーフォイル４２、周方向中央部より下流側がアッパーフォイル４１としてそれぞれ機能し、このフォイル４が気圧を受けた際には、これらアンダーフォイル４２及びアッパーフォイル４１がそれぞれ反対側に移動しつつ摺動する。従って、この摺動の際に振動エネルギーを熱エネルギー等に変換して振動を抑制する効果であるダンピング効果を好適に得ることができる。
【００３３】
さらに、図６に示すように、帯５の連結部５２だけでなく、フォイル４の帯５と反対側の端縁にも係止突起４ａを設けるようにしてもよい。このように構成すれば、帯５の連結部５２の係止突起５２ａと、フォイル４の帯５と反対側の端縁に設けた係止突起４ａとにより、より安定してフォイル４を軸受ハウジング１に位置決めすることができる。
【００３４】
また、帯５の連結部５２やフォイル４の帯と反対側の端縁に係止突起４ａを設ける代わりに、図７に示すようにフォイル４の周方向一方の端縁に係止突起４ａを設ける態様や、図８に示すようにフォイル４の周方向中間部を折り返して係止突起４ａを設ける態様を採用してもよい。なお、図８の（ａ）はフォイル４の正面図、同図の（ｂ）はフォイル４の側面図である。
【００３５】
このような態様を採用すれば、フォイル４の周方向中央部より上流側をアンダーフォイル４２、周方向中央部より下流側をアッパーフォイル４１として機能させることにより、気圧を受けた際にこれらアンダーフォイル４２及びアッパーフォイル４１がそれぞれ反対側に移動しつつ摺動するので、フォイル４の振動エネルギーを熱エネルギー等に変換してフォイル４の振動を抑制する効果であるダンピング効果を好適に得ることができる。
【００３６】
加えて、図９に示すように、前述した実施形態におけるフォイル組立品３と同様の構成を有する１個のフォイル組立品３の帯５の帯本体５１を折り返して折り返し箇所５１ａを形成し、この折り返し箇所５１ａを溶接などにより固定することにより、周方向に隣接するフォイル４を相互に重ね合わせ、フォイル４の周方向中央部より上流側がアンダーフォイル４２、周方向中央部より下流側がアッパーフォイル４１としてそれぞれ機能するフォイル組立品３を形成するようにしてもよい。なお、図９の（ａ）はフォイル組立品３の正面図、同図の（ｂ）はフォイル組立品３の側面図である。このような構成であれば、１個のフォイル組立品３のみにより動圧気体軸受を形成できるので、さらなる部品点数の削減を図ることができる。
【００３７】
さらに、上述した実施形態におけるフォイル組立品３において、フォイル４のうちアンダーフォイルとして機能する部位に、隣接するフォイル４の前記アッパーフォイルとして機能する部位を軸に向けて付勢するバネとしての機能を備えさせるようにしてもよい。具体的には、図１０及び図１１に示すように、フォイル４のアンダーフォイルとして機能する部位に、バネとしての機能を付与すべく軸２に対して弾性突没可能な複数の突条４ｘを設けてもよい。このようなものであれば、アッパーフォイルとして機能する部位が高い気圧を受けると、前記突条４ｘが弾性変形し、アッパーフォイルとして機能する部位が軸２に向けて付勢される。従って、軸２とフォイル４との間の気体膜を形成する隙間の形状をより適切な形状に維持できる。
【００３８】
一方、図１２及び図１３に示すように、上述した実施形態における２つのフォイル組み立て品３を組み合わせたものの軸受ハウジング１ａ側に、前記アッパーフォイル及びアンダーフォイルとして機能するフォイルを軸に向けて付勢するバネとしての機能を有するフォイルを設けてもよい。すなわち、軸２に対して弾性突没可能な複数の突条Ｘ４ａを有するバンプフォイルＸ４を複数有するフォイル組立品Ｘ３を前記２つのフォイル組立品３の軸受ハウジング１ａ側に配するようにしてもよい。このようなものであっても、アッパーフォイルとして機能する部位が高い気圧を受けると、前記突条Ｘ４ａが弾性変形し、アッパーフォイルとして機能する部位が軸２に向けて付勢される。従って、軸２とフォイル４との間の気体膜を形成する隙間の形状をより適切な形状に維持できる。
【００３９】
そして、前記図５を参照しつつ説明した実施態様においても、図１４に示すように、フォイル４のアンダーフォイルとして機能する部位に、バネとしての機能を付与すべく軸２に対して弾性突没可能な複数の突条４ｘを設けてもよい。
【００４０】
加えて、ジャーナル軸受に限らず、スラスト軸受に本発明を適用してもよい。
【００４１】
その他、本発明の趣旨を損ねない範囲で種々に変更してよい。
【符号の説明】
【００４２】
１…軸受ハウジング
２…軸
３…リーフプレート組立品
４…フォイル
４１…アッパーフォイル
４２…アンダーフォイル
５…帯
【図１】
2011144845.tif 000003
【図２】
2011144845.tif 000004
【図３】
2011144845.tif 000005
【図４】
2011144845.tif 000006
【図５】
2011144845.tif 000007
【図６】
2011144845.tif 000008
【図７】
2011144845.tif 000009
【図８】
2011144845.tif 000010
【図９】
2011144845.tif 000011
【図１０】
2011144845.tif 000012
【図１１】
2011144845.tif 000013
【図１２】
2011144845.tif 000014
【図１３】
2011144845.tif 000015
【図１４】
2011144845.tif 000016